(57)【要約】【課題】電力変換システムにおいて、構成が簡単で安価な伝送回路を追加するだけで、制御部の制御負荷を抑え、インバータの出力電力の変動に対して、蓄電池コンバータユニット（ＢＡＴユニット）側での高速な制御・応答を実現する。【解決手段】系統連系インバータユニット（ＩＮＶユニット）６０内のインバータ６１の出力電力情報が、制御部６２でＡ／Ｄ変換され、出力電力情報に応じたパルス幅のＰＷＭ信号が出力される。そのＰＷＭ信号は、伝送回路８０で平滑され、ＰＷＭ信号のパルス幅に応じた電圧値に変換される。変換された電圧値は、ＢＡＴユニット５０内の制御部５２でＡ／Ｄ変換された後に補正され、出力電力指令値が生成されて、コンバータ５１の出力電力が制御される。【選択図】図１
2018164329.tif 000002
【特許請求の範囲】
【請求項１】
直流電源から供給される直流電力を所定の直流電力に変換して出力し、第２電力変換器から供給される直流電力を所定の直流電力に変換して前記直流電源へ供給する第１電力変換器と、
前記第１電力変換器から供給される前記直流電力を交流電力に変換して負荷へ供給し、電力系統から供給される交流電力を直流電力に変換して前記第１電力変換器へ供給する前記第２電力変換器と、
前記第１電力変換器の電力の変換を制御し、且つ、電圧値を入力してアナログ／デジタル変換を行い、この変換されたデジタル値を補正して出力電力指令値を生成し、前記第１電力変換器の出力電力を制御する第１制御部と、
前記第２電力変換器の電力の変換を制御し、且つ、前記第２電力変換器の出力電力情報に応じたパルス幅変調信号を出力する第２制御部と、
前記パルス幅変調信号を入力し、前記パルス幅変調信号のパルス幅に応じた前記電圧値に変換して、前記第１制御部へ伝送する伝送回路と、
を備えることを特徴とする電力変換システム。
【請求項２】
前記伝送回路は、前記パルス幅変調信号を平滑して前記電圧値を生成するフィルタ回路により構成されていることを特徴とする請求項１記載の電力変換システム。
【請求項３】
前記直流電源は、蓄電池であり、
前記第１電力変換器は、双方向に直流／直流変換を行うコンバータであり、
前記第２電力変換器は、双方向に直流／交流変換を行う系統連系用のインバータである、
ことを特徴とする請求項１又は２記載の電力変換システム。
【発明の詳細な説明】
【技術分野】
【０００１】
本発明は、電力情報の伝送回路を備えたマルチソース・パワーコンディショニング・システム（以下「マルチＰＣＳ」という。）等の電力変換システムに関するものである。
【背景技術】
【０００２】
図７は、従来のマルチＰＣＳの要部の構成を示すブロック図である。
マルチＰＣＳ１は、蓄電池２及び図示しない太陽電池と電力系統３とを連系する装置である。蓄電池２は、電力線４を介して蓄電池コンバータユニット（以下「ＢＡＴユニット」という。）１０に接続され、このＢＡＴユニット１０が、電力線５を介して系統連系インバータユニット（以下「ＩＮＶユニット」という。）２０に接続されている。ＩＮＶユニット２０は、電力線６及び図示しない開閉器を介して電力系統３に接続されている。電力線６には、負荷７が接続されている。又、図示しない太陽電池は、電力線を介して太陽光発電コンバータユニット（以下「ＰＶユニット」という。）に接続され、このＰＶユニットが、電力線を介してＩＮＶユニット２０に接続されている。
【０００３】
ＢＡＴユニット１０は、双方向に直流／直流変換（以下「ＤＣ／ＤＣ変換」という。）を行うコンバータ１１と、このコンバータ１１内のスイッチング素子をオン／オフ制御する制御部１２と、を備えている。ＩＮＶユニット２０は、双方向に直流／交流変換（以下「ＤＣ／ＡＣ変換」という。）を行う系統連系インバータ２１と、このインバータ２１内のスイッチング素子をオン／オフ制御する制御部２２と、を備えている。又、図示しないが、ＰＶユニットも、ＤＣ／ＤＣ変換を行うコンバータと、このコンバータ内のスイッチング素子をオン／オフ制御する制御部と、を備えている。
【０００４】
ＢＡＴユニット１０側の制御部１２とＩＮＶユニット２０側の制御部２２とは、通信線７，８により接続されたシステム制御装置２５からの制御指令に基づき、コンバータ１１及びインバータ２１のスイッチングを制御する機能を有している。制御部１２，２２及びシステム制御装置２５は、マイクロコンピュータ（以下「マイコン」という。）等により構成されている。
【０００５】
図７のマルチＰＣＳ１において、例えば、図示しないＰＶユニット側の直流の発電電力は、ＩＮＶユニット２０で交流電力に変換されて負荷７へ供給されると共に、電力系統３へ逆潮流される。図示しないＰＶユニット側の発電電力より負荷７の消費電力が上回っている場合、そのＰＶユニット側の発電電力とＢＡＴユニット１０側の直流の放電電力とが、ＩＮＶユニット２０で交流電力に変換されて負荷７へ供給されると共に、電力系統３の交流電力がその負荷７へ供給される。
【０００６】
蓄電池２へ充電を行う場合、電力系統３の交流電力が、ＩＮＶユニット２０で直流電力に変換された後、ＢＡＴユニット１０によって蓄電池２の充電が行われる。又、図示しないＰＶユニット側の発電電力が負荷７の消費電力より大きい場合、そのＰＶユニット側の余剰電力がＢＡＴユニット１０へ供給され、蓄電池２の充電が行われる。
【０００７】
ＢＡＴユニット１０では、蓄電池２に蓄電した電力を電力系統３へ逆潮流してはいけないので、ＩＮＶユニット２０の出力電力に応じて、蓄電池２の放電電力を制御している。蓄電池２の放電電力を制御するために、ＩＮＶユニット２０内の制御部２２、通信線８、システム制御装置２５、通信線７、及びＢＡＴユニット１０内の制御部１２の通信経路を用いて、コントローラ・エリア・ネットワーク（Controller Area Network；ＣＡＮ）等の通信規格で電力情報の送信・更新を行うのが一般的である。
【０００８】
この情報伝送技術が、特許文献２の電力供給装置に記載されている。
【０００９】
なお、図７中に付された符号（１）〜（４）は、出力電力情報の送信のタイミングを示すものである。
【００１０】
又、図示しないが、特許文献１には、システム制御装置によって制御される２つのＢＡＴユニットが並列に配置され、一方のＢＡＴユニットに供給されている電力情報を、システム制御装置内に設けた低周波通過フィルタを介して、他方のＢＡＴユニットに取り込み、この他方のＢＡＴユニットでその電力情報を制御に使用することにより、電力変動補償の適正化を図る風力発電設備が記載されている。
【００１１】
図８は、図７中のＢＡＴユニット１０内の制御部１２及びＩＮＶユニット２０内の制御部２２を示す概略の機能ブロック図である。
ＢＡＴユニット１０内の制御部１２とＩＮＶユニット２０内の制御部２２とは、通信線９（即ち、図７中の通信線７，８及びシステム制御装置２５）を介して相互に接続されている。
【００１２】
ＢＡＴユニット１０内の制御部１２は、制御部全体をプログラム制御する制御部本体１３、及び電力情報の送受信を行う送受信部１４等を有している。送受信部１４内の受信側には、ＩＮＶユニット２０内の制御部２２から通信線９を介して送られてくる電力情報を受信する受信部１４ａと、受信された電力情報の電文を解析する電文解析部１４ｂと、解析された電文を補正する補正部１４ｃと、が設けられている。補正された電力情報は、制御部本体１３において、このＢＡＴユニット１０が出力する電力の目標値として使用される。
【００１３】
又、ＩＮＶユニット２０内の制御部２２は、制御部全体をプログラム制御する制御部本体２３、及び電力情報の送受信を行う送受信部２４等を有している。送受信部２４内の送信側には、入力ポートＰＴから入力されるアナログ値の電力情報をデジタル値に変換するアナログ／デジタル変換（以下「Ａ／Ｄ変換」という。）部２４ａと、変換されたデジタル値からなる電力情報を演算する電力値演算部２４ｂと、演算された電力値の電文を作成する電文作成部２４ｃと、作成された電文を通信線９へ送信する送信部２４ｄと、が設けられている。
【００１４】
図９は、図７及び図８のマルチＰＣＳ１における電力情報の送信処理を示すタイミングチャートである。
インバータ２１側の出力電力情報を通信線９（即ち、通信線７，８及びシステム制御装置２５）を介してコンバータ１１側へ送信する場合、次の（１）〜（４）のタイミングで送信する。
【００１５】
先ず、タイミング（１）において、ＩＮＶユニット２０側では、インバータ２１の出力計測情報が、制御部２２の入力ポートＰＴへ入力される。
【００１６】
タイミング（２）において、制御部２２内の送受信部２４では、Ａ／Ｄ変換部２４ａにより、入力された電圧値からなる出力計測情報がデジタル値に変換される。電力値演算部２４ｂにより、変換されたデジタル値から出力電力値が演算され、電文作成部２４ｃにより、出力電力値を含んだ送信用電文が作成される。そして、送信部２４ｄにおいて、作成された送信用電文が、任意の通信周期（例えば、１０Ｈｚ）毎に送信され、所定の更新周期でその更新が行われる。
【００１７】
タイミング（３）において、システム制御装置２５により、任意の通信規格に則った出力電力指令値が生成され、この出力電力指令値が、任意の通信周期（例えば、１０Ｈｚ）毎に送信され、所定の更新周期でその更新が行われる。
【００１８】
その後、タイミング（４）において、ＢＡＴユニット１０内の制御部１２により、受信した出力電力指令値に基づき、コンバータ１１の出力電力値が制御される。即ち、制御部１２内の送受信部１４において、受信部１４ａにより、通信線９から送られてくる出力電力指令値が受信され、電文解析部１４ｂにより、受信された出力電力指令値の電文が解析される。解析された電文は、補正部１４ｃにより補正される。補正された電文により、コンバータ１１が制御され、出力電力値が一定の値に制御される。
【先行技術文献】
【特許文献】
【００１９】
【特許文献１】特開２００２−３４９４１７号公報
【特許文献２】特開２０１１−１０１５２３号公報
【発明の概要】
【発明が解決しようとする課題】
【００２０】
しかしながら、従来のマルチＰＣＳ１では、ＢＡＴユニット１０の放電電力を制御するために、システム制御装置２５を用いてＣＡＮ等の通信規格で電力情報の送信及び更新を行っているので、以下の（ａ）〜（ｃ）のような課題がある。
【００２１】
（ａ）  電力情報の送信及び更新の周期は、通信規格の通信周期に依存してしまい、高速な制御が行えない。
（ｂ）  高速の通信規格を使用することもできるが、コストアップとなる。
（ｃ）  ＢＡＴユニット１０は、図示しないＰＶユニットに比べ、逆潮流防止等の制御すべき機能が増加したことにより、システム制御装置２５及び制御部１２，２２の制御負荷量が増加し、フィードバックが回りきらない。
【００２２】
この（ａ）〜（ｃ）の課題を解決するために、特許文献１に記載された電力情報の伝送技術を利用することも考えられるが、システム制御装置２５及び制御部１２，２２の制御負荷量が増加するので、前記（ｃ）の課題を解決できない。
【課題を解決するための手段】
【００２３】
本発明の電力変換システムは、直流電源から供給される直流電力を所定の直流電力に変換して出力し、第２電力変換器から供給される直流電力を所定の直流電力に変換して前記直流電源へ供給する第１電力変換器と、前記第１電力変換器から供給される前記直流電力を交流電力に変換して負荷へ供給し、電力系統から供給される交流電力を直流電力に変換して前記第１電力変換器へ供給する前記第２電力変換器と、を備えている。
【００２４】
更に、本発明の電力変換システムでは、前記第１電力変換器の電力の変換を制御し、且つ、電圧値を入力してＡ／Ｄ変換を行い、この変換されたデジタル値を補正して出力電力指令値を生成し、前記第１電力変換器の出力電力を制御する第１制御部と、前記第２電力変換器の電力の変換を制御し、且つ、前記第２電力変換器の出力電力情報に応じたパルス幅変調（以下「ＰＷＭ」という。）信号を出力する第２制御部と、前記PWM信号を入力し、前記PWM信号のパルス幅に応じた前記電圧値に変換して、前記第１制御部へ伝送する伝送回路と、を備えている。
【発明の効果】
【００２５】
本発明の電力変換システムによれば、次の（Ａ）〜（Ｃ）のような効果がある。
【００２６】
（Ａ）  第２電力変換器の出力電力情報を、伝送回路（例えば、フィルタ回路）を用いて第１電力変換器側の第１制御部へ伝送するので、従来のような通信規格の周期に依存せず、任意のタイミングで、出力電力情報の送信及び更新が可能になる。これにより、第２電力変換器における出力電力の変動に対して、高速な制御及び応答を実現できる。
（Ｂ）  安価な伝送回路を追加するだけなので、高速の通信規格へ置き換えるよりも低コストで済む。
（Ｃ）  第１制御部及び第２制御部内の送受信処理の簡易化を図ることができるので、第１制御部及び第２制御部の制御負荷を抑えることができる。
【図面の簡単な説明】
【００２７】
【図１】本発明の実施例１における図２の要部の構成を示すブロック図
【図２】本発明の実施例１における電力変換システム（例えば、マルチＰＣＳ）の構成例を示す概略のブロック図
【図３】図１中の制御部５２，６２を示す概略の機能ブロック図
【図４】図３中の補正部５４ｂにおける補正式の例を示す図
【図５】図３中の伝送回路８０における変換イメージを示す図
【図６】図１及び図３の電力情報の送信処理のタイミングチャート
【図７】従来のマルチＰＣＳの要部の構成を示すブロック図
【図８】図７中の制御部１２，２２を示す概略の機能ブロック図
【図９】図７及び図８における電力情報の送信処理のタイミングチャート
【発明を実施するための形態】
【００２８】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００２９】
（実施例１のマルチＰＣＳ）
図２は、本発明の実施例１における電力変換システム（例えば、マルチＰＣＳ）の構成例を示す概略のブロック図である。
このマルチＰＣＳ３０は、例えば、発電電圧が直流８０Ｖ〜４５０Ｖの太陽電池３１及び放電電圧が直流６０Ｖ〜３３０Ｖの蓄電池３２と、単相３線交流２０２Ｖの電力系統３３と、の連系を行うシステムである。
【００３０】
マルチＰＣＳ３０は、太陽電池３１の発電電力に対してＤＣ／ＤＣ変換を行うＰＶユニット４０と、蓄電池３２の充放電を行わせる双方向ＤＣ／ＤＣコンバータを使用したＢＡＴユニット５０と、電力系統３３に対して系統連系を行わせるＩＮＶユニット６０と、ＰＶユニット４０、ＢＡＴユニット５０及びＩＮＶユニット６０を制御するシステム制御装置７０と、を有している。
【００３１】
ＰＶユニット４０と、ＢＡＴユニット５０と、ＩＮＶユニット６０とは、例えば、直流３５０Ｖ〜４５０Ｖの直流バス４４を介して、相互に接続されている。更に、ＰＶユニット４０、ＢＡＴユニット５０、及びＩＮＶユニット６０は、ＣＡＮ等の制御バス７１を介して、システム制御装置７０に接続されている。
【００３２】
システム制御装置７０は、例えば、図示しないシステムコントローラからの運転指令（例えば、蓄電池３２を充電する場合、電力系統３３とＰＶユニット４０から３ｋＷずつ電力を貰って蓄電池３２を充電する等の運転指令）を受け、その運転指令通りにＰＶユニット４０、ＢＡＴユニット５０、及びＩＮＶユニット６０が動作するように、制御バス７１を介して、それらのユニット４０，５０，６０に制御信号を送る。又、システム制御装置７０は、制御バス７１を介して、各ユニット４０，５０，６０からの信号の受信処理等を行う機能を有している。このシステム制御装置７０は、マイコン等により構成されている。
【００３３】
ＰＶユニット４０は、太陽電池３１と直流バス４４との間に接続されたＤＣ／ＤＣ変換用のコンバータ４１と、このコンバータ４１の動作を制御する制御部４２と、を有している。
【００３４】
コンバータ４１は、図示しない開閉器を介して入力される太陽電池３１の直流発電電力を所定の直流電力に変換して直流バス４４へ出力する非絶縁型のコンバータであり、太陽電池３１の直流発電電力を変換して直流バス４４へ出力する複数のスイッチング素子等からなる回路を有している。制御部４２は、システム制御装置７０から与えられる制御信号に基づき、ＰＷＭ信号を出力してコンバータ４１内のスイッチング素子のオン／オフ動作を制御するスイッチング制御機能等を有し、マイコン等により構成されている。
【００３５】
ＢＡＴユニット５０は、蓄電池３２と直流バス４４との間に接続された第１電力変換器（例えば、双方向ＤＣ／ＤＣ変換用のコンバータ）５１と、このコンバータ５１の動作を制御する第１制御部５２と、を有している。
【００３６】
コンバータ５１は、図示しない開閉器を介して入力される蓄電池３２の直流放電電力を所定の直流電力に変換して直流バス４４へ出力し、又は、直流バス４４から入力される直流電力を所定の直流電力に変換し、図示しない開閉器を介して蓄電池３２を充電する非絶縁型のコンバータであり、複数のスイッチング素子等からなる回路を有している。制御部５２は、システム制御装置７０から与えられる制御信号に基づき、ＰＷＭ信号を出力してコンバータ５１内のスイッチング素子のオン／オフ動作を制御するスイッチング制御機能等を有し、マイコン等により構成されている。
【００３７】
ＩＮＶユニット６０は、直流バス４４と電力系統３３との間に接続された双方向ＤＣ／ＡＣ変換用の第２電力変換器（例えば、系統連系インバータ）６１と、このインバータ６１の動作を制御する第２制御部６２と、を有している。
【００３８】
インバータ６１は、直流バス４４から入力される直流電力を交流電力に変換し、図示しない開閉器を介して電力系統３３や負荷３４へ出力する定電圧及び定周波数（Constant Voltage Constant Frequency；ＣＶＣＦ）型のインバータであり、複数のスイッチング素子等からなる回路を有している。制御部６２は、システム制御装置７０から与えられる制御信号に基づき、ＰＷＭ信号を出力してインバータ６１内のスイッチング素子のオン／オフ動作を制御するスイッチング制御機能等を有し、マイコン等により構成されている。
【００３９】
このような構成のマルチＰＣＳ３０では、蓄電池３２に対して、以下のような放電運転（ｉ）と充電運転（ｉｉ）とが行われる。
【００４０】
（ｉ）  放電運転
太陽電池３１の発電電力の流れは、太陽電池３１→ＰＶユニット４０→直流バス４４→ＩＮＶユニット６０→負荷３４（又は負荷３４及び電力系統３３）、となる。ＰＶユニット４０は、最大電力追従制御を行い、ＩＮＶユニット６０は、その電力を交流電力に変換して負荷３４へ供給する。又、発電電力が負荷３４の消費電力を上回っている場合は、電力系統３３へ逆潮流する。この場合、ＢＡＴユニット５０内のコンバータ５１は、制御部５２によって負荷３４の消費電力を超えないように制御される。
【００４１】
太陽電池３１の発電電力より負荷３４の消費電力が上回っている場合の電力の流れは、（太陽電池３１側のＰＶユニット４０の出力直流電力＋蓄電池３２側のＢＡＴユニット５０の出力直流電力）→直流バス４４→ＩＮＶユニット６０の出力交流電力→負荷３４の経路と、電力系統３３→負荷３４の経路と、の２つの経路によって交流電力が負荷３４へ供給される。
【００４２】
この場合、ＰＶユニット４０は最大電力追従制御を行い、ＩＮＶユニット６０は、その電力を交流電力に変換して負荷３４へ供給する。又、不足分の電力は、蓄電池３２の放電電力により補われる。
【００４３】
（ｉｉ）  充電運転
充電運転時の電力の流れは、電力系統３３→負荷３４という経路と、電力系統３３→ＩＮＶユニット６０→直流バス４４→ＢＡＴユニット５０→蓄電池３２という経路と、になる。ＩＮＶユニット６０内のインバータ６１の順変換動作により、ＢＡＴユニット５０内のコンバータ５１は、制御部５２の充電電流及び充電電力制御にて蓄電池３２の充電を行う。但し、太陽電池３１の発電電力が負荷３４の消費電力より大きい場合は、ＰＶユニット４０により最大電力追従制御を行いつつ、ＢＡＴユニット５０で充電動作を行う。又、システム制御装置７０の制御により、ＢＡＴユニット５０は、電力系統３３及び太陽電池３１からの蓄電池３２への充電も可能である。
【００４４】
（実施例１のマルチＰＣＳの要部の構成）
図１は、本発明の実施例１における図２の要部の構成を示すブロック図である。更に、図３は、図１中のＢＡＴユニット５０内の第１制御部５２及びＩＮＶユニット６０内の第２制御部６２を示す概略の機能ブロック図である。
なお、図１中に付された符号（５）〜（８）は、出力電力情報の送信のタイミングを示すものである。
【００４５】
図１に示すように、ＢＡＴユニット５０内の第１制御部５２とＩＮＶユニット６０内の第２制御部６２とは、制御バス７１中の通信線７１ａ，７１ｂを介してシステム制御装置７０に接続されている。ＢＡＴユニット５０内の第１電力変換器としてのコンバータ５１における一方の入出力端子は、電力線３５を介して直流電源としての蓄電池３２に接続され、その他方の入出力端子が、電力線である直流バス４４に接続されている。直流バス４４には、ＩＮＶユニット６０内の第２電力変換器としてのインバータ６１における一方の入出力端子が接続され、そのインバータ６１の他方の入出力端子が、電力線３６を介して電力系統３３に接続されている。
【００４６】
ＢＡＴユニット５０内のコンバータ５１及び制御部５２において、コンバータ５１は、前述したように、制御部５２によって制御され、蓄電池３２から供給される直流の放電電力を所定の直流電力に変換して出力し、又、直流バス４４を介してＩＮＶユニット６０内のインバータ６１から供給される直流電力を所定の直流電力に変換して蓄電池３２を充電する装置である。
【００４７】
ＩＮＶユニット６０内のインバータ６１及び制御部６２において、インバータ６１は、前述したように、制御部６２によって制御され、直流バス４４を介してＢＡＴユニット５０内のコンバータ５１から供給される直流の放電電力を交流電力に変換して負荷３４へ供給し、又、電力系統３３から供給される交流電力を直流電力に変換してコンバータ５１へ供給する装置である。
【００４８】
ＩＮＶユニット６０内の制御部６２は、通信線７２ａを介して伝送回路８０の入力端子に接続され、この伝送回路８０の出力端子が、通信線７２ｂを介してＢＡＴユニット５０内の制御部５２に接続されている。伝送回路８０は、制御部６２から出力されるインバータ６１の出力電力情報を制御部５２へ伝送する回路である。
【００４９】
図３に示すように、ＩＮＶユニット６０内の制御部６２は、前述したスイッチング制御機能を有する制御部本体６３、及びこの制御部本体６３によって制御される送信部６４等を有している。送信部６４は、図示しない計測部で計測されたインバータ６１の出力計測情報を入力ポートＰＴから入力し、その出力計測情報をＡ／Ｄ変換し、各計測情報の実効値及び出力電力の演算を行い、その出力計測情報に応じたパルス幅のＰＷＭ信号を通信線７２ａへ出力する機能を有している。
【００５０】
この送信部６４には、入力ポートＰＴから入力される出力計測情報をデジタル値に変換するＡ／Ｄ変換部６４ａと、デジタル値に変換された出力計測情報を演算して出力電力情報を求める電力値演算部６４ｂと、求められた出力電力情報をＰＷＭ信号に変換して通信線７２ａへ出力するＰＷＭ出力部６４ｃと、が設けられている。
【００５１】
ＢＡＴユニット５０内の制御部５２は、前述したスイッチング制御機能を有する制御部本体５３、及びこの制御部本体５３によって制御される受信部５４等を有している。受信部５４には、通信線７２ｂから送られてくる電圧値を入力してデジタル値に変換するＡ／Ｄ入力部５４ａと、変換されたデジタル値を補正して制御部本体５３の出力電力指令値とする補正部５４ｂと、が設けられている。
【００５２】
制御部６２，５２間の伝送回路８０は、通信線７２ａから送られてくるＰＷＭ信号を、このパルス幅に応じた電圧値に変換して通信線７２ｂへ出力する機能を有し、例えば、平滑用のフィルタ回路により構成されている。
【００５３】
（実施例１のマルチＰＣＳの要部の動作）
図４は、図３中の補正部５４ｂにおける補正式の例を示す図であり、横軸は入力されるＡ／Ｄ変換値、及び縦軸は格子状（Ｇｒｉｄ）に補正された電力情報Ｇｒｉｄ  Ｐ［Ｗ］である。
【００５４】
補正部５４ｂでは、次式に従い、入力されるＡ／Ｄ変換値を補正し、補正された電力情報Ｇｒｉｄ  Ｐを出力する。
Ｇｒｉｄ  Ｐ［Ｗ］＝ｋ＊Ａ／Ｄ変換値＋オフセット電圧
但し、ｋ；係数
【００５５】
図５（ａ）、（ｂ）は、図３中の伝送回路８０における変換イメージを示す図であり、同図（ａ）は入力されるＰＷＭ信号のパルス幅が狭いパターンＩをアナログの電圧値に変換した場合のイメージ、及び、同図（ｂ）は入力されるＰＷＭ信号のパルス幅が広いパターンＩＩをアナログの電圧値に変換した場合のイメージである。
【００５６】
図６は、図１及び図３の伝送回路８０を経由する電力情報の送信処理を示すタイミングチャートである。
【００５７】
従来の電力情報の送信処理では、図７、図８及び図９に示すように、タイミング（１）〜（３）において、任意の通信周期（例えば、１０Ｈｚ）毎に出力電力情報の送信及び更新を行う。そして、タイミング（３）〜（４）において、受信した出力電力指令値に基づき、コンバータ１１の出力電力値を制御している。そのため、前述したような課題がある。
【００５８】
そこで、本実施例１では、従来の課題を解決するために、インバータ６１側の出力電力情報をコンバータ５１側へ送信する場合、伝送回路８０を介して次の（５）〜（８）のタイミングで伝送するようにしている。
【００５９】
先ず、タイミング（５）において、ＩＮＶユニット６０内のインバータ６１の出力計測情報が、制御部６２の入力ポートＰＴへ入力される。
【００６０】
タイミング（６）において、制御部６２内の送信部６４では、Ａ／Ｄ変換部６４ａにより、入力された出力計測情報がデジタル値に変換される。次に、電力値演算部６４ｂにより、変換されたデジタル値から出力電力情報が演算される。その後、ＰＷＭ出力部６４ｃにおいて、演算された出力電力情報から、ＰＷＭ信号が作成され、通信線７２ａへ伝送される。ＰＷＭ信号のパルス幅は、所定の周期（例えば、商用電源周波数５０／６０Ｈｚ）の周期で更新される。
【００６１】
このように、タイミング（５）〜（６）では、インバータ６１の出力電力値に応じたＰＷＭ信号が、通信線７２ａへ出力される。
【００６２】
通信線７２ａへ出力されたＰＷＭ信号は、図５（ａ）、（ｂ）に示すように、伝送回路８０により平滑化され、アナログの電圧値に変換される。例えば、図５（ａ）のように、ＰＷＭ信号のパルス幅が狭いパターンＩの場合には、変換された電圧値が低い。これに対して、図５（ｂ）のように、ＰＷＭ信号のパルス幅が広いパターンＩＩの場合には、変換された電圧値が高い。このようなアナログの電圧値が、通信線７２ｂを介してコンバータ５１側の制御部５２へ伝送される。
【００６３】
次に、タイミング（７）において、制御部５２内の受信部５４では、Ａ／Ｄ入力部５４ａにより、入力された電圧値がＡ／Ｄ変換される。このＡ／Ｄ変換の更新は、任意の周期及びタイミングで行われる。変換されたデジタル値は、補正部５４ｂにより、図４に示すような補正が行われ、補正された電力情報Ｇｒｉｄ  Ｐが生成される。
【００６４】
このように、タイミング（６）〜（７）では、ＰＷＭ信号が伝送回路８０で平滑化されて、そのＰＷＭ信号に応じた電圧値に変換された後、Ａ／Ｄ入力部５４ａでＡ／Ｄ変換され、任意のタイミングで出力される。出力されたデジタル値は、補正部５４ｂにより補正されて電力情報Ｇｒｉｄ  Ｐが生成される。
【００６５】
その後、タイミング（８）において、生成された電力情報Ｇｒｉｄ  Ｐが、制御部本体５３の出力電力指令値として使用され、コンバータ５１の出力電力値が制御される。つまり、タイミング（７）〜（８）では、Ａ／Ｄ変換されたデジタル値を基に、コンバータ５１が制御される。
【００６６】
（実施例１の効果）
本実施例１によれば、次の（ａ）、（ｂ）のような効果がある。
【００６７】
（ａ）  従来の図８の情報伝達処理と本実施例１の図３の情報伝達処理とを対比すると、従来では、ＩＮＶユニット２０内のインバータ２１側とＢＡＴユニット１０内のコンバータ１１側とで、通信線９を介して、送受信と電文作成・解析の処理を行っている。これに対して、本実施例１では、ＩＮＶユニット６０内の制御部６２から、出力電力情報に応じたパルス幅のＰＷＭ信号を出力し、伝送回路８０で平滑化し、ＢＡＴユニット５０内の制御部５２へ入力するだけの処理のため、情報伝達処理の処理量を削減できる。しかも、従来のような電文作成・解析の処理を省けるため、情報伝達の全体の処理量も削減できる。
【００６８】
（ｂ）  本実施例１では、構成が簡単で安価な伝送回路８０を追加するだけで、制御部５２，６２の制御負荷を抑え、インバータ６１の出力電力の変動に対して、ＢＡＴユニット５０側での高速な制御・応答を実現できる。
【００６９】
（変形例）
本発明は、上記実施例１に限定されず、種々の利用形態や変形が可能である。この利用形態や変形例としては、例えば、次の（ｉ）〜（ｉｉｉ）のようなものがある。
【００７０】
（ｉ）  伝送回路８０は、フィルタ回路以外の回路で構成しても良い。
（ｉｉ）  蓄電池３２に代えて、電力系統３３への逆潮流を禁止されている他の直流電源に変更しても良い。又、図３中の制御部５２，６２は、他の構成の機能ブロックに変更したり、或いは、その機能ブロックを個別回路で構成しても良い。
（ｉｉｉ）  図２のマルチＰＣＳ３０の全体の構成、及び各ユニット４０，５０，６０の構成は、図示以外の他の構成に変更しても良い。又、図２のマルチＰＣＳ３０に代えて、他の構成の電力変換システムであっても、本発明を適用できる。
【符号の説明】
【００７１】
３０      マルチＰＣＳ
３１      太陽電池
３２      蓄電池（直流電源）
３３      電力系統
４０      ＰＶユニット（太陽光発電コンバータユニット）
４１      コンバータ
４２      制御部
５０      ＢＡＴユニット（蓄電池コンバータユニット）
５１      コンバータ（第１電力変換器）
５２      制御部（第１制御部）
６０      ＩＮＶユニット（系統連系インバータユニット）
６１      インバータ（第２電力変換器）
６２      制御部（第２制御部）
７０      システム制御装置
８０      伝送回路
【図１】
2018164329.tif 000003
【図２】
2018164329.tif 000004
【図３】
2018164329.tif 000005
【図４】
2018164329.tif 000006
【図５】
2018164329.tif 000007
【図６】
2018164329.tif 000008
【図７】
2018164329.tif 000009
【図８】
2018164329.tif 000010
【図９】
2018164329.tif 000011